(57)【要約】      （修正有）【課題】放送ＴＳ信号の異常が発生した場合でも、放送の安定確保を実現するための放送ＴＳ切替装置、メモリ装置及び放送ＴＳ切替システムを提供する。【解決手段】複数の伝送路を経た同一内容の複数の放送ＴＳ信号を複数の伝送路を経て入力するＴＳパケットメモリと、前記ＴＳパケットメモリの出力を入力するとともに、選択した放送ＴＳ信号についての出力選択情報を生成するＴＳ切替器２と、複数の放送ＴＳ信号について、ＯＦＤＭフレームのＴＳパケットに埋め込まれている各々のＴＳＰ_ｃｏｕｎｔｅｒ値を監視して、ＴＳＰ_ｃｏｕｎｔｅｒ値が連続しているか否かを示す判別情報を生成するＴＳＰ_ｃｏｕｎｔｅｒ監視回路３と、ＴＳＰ_ｃｏｕｎｔｅｒ監視回路３からの判別情報と前記ＴＳ切替器からの出力選択情報とを入力し、前記出力選択情報の放送ＴＳ信号についての前記判別情報に従ってＴＳ切替器２を制御するＴＳＰ選択回路４とを備える。【選択図】図２
2008283476.tif 000002
【特許請求の範囲】
【請求項１】
放送ＴＳ信号として伝送されるＯＦＤＭフレームのＴＳパケットを切替える放送ＴＳ切替装置であって、
複数の伝送路を経た同一内容の複数の放送ＴＳ信号を入力するＴＳパケットメモリと、
前記ＴＳパケットメモリの出力を入力するとともに、選択した放送ＴＳ信号についての出力選択情報を生成するＴＳ切替器と、
前記複数の放送ＴＳ信号について、ＯＦＤＭフレームのＴＳパケットに埋め込まれている各々のＴＳＰ_ｃｏｕｎｔｅｒ値を監視して、ＴＳＰ_ｃｏｕｎｔｅｒ値が連続しているか否かを判別し、その判別情報を生成するＴＳＰ_ｃｏｕｎｔｅｒ監視回路と、
前記ＴＳＰ_ｃｏｕｎｔｅｒ監視回路からの判別情報と前記ＴＳ切替器からの出力選択情報とを入力して、前記出力選択情報の放送ＴＳ信号についての前記判別情報に従って、前記ＴＳ切替器を制御する制御信号を送出するＴＳＰ選択回路とを備えることを特徴とする放送ＴＳ切替装置。
【請求項２】
放送ＴＳ信号として伝送されるＯＦＤＭフレームを遅延させるメモリ装置であって、
前記ＯＦＤＭフレームのＴＳパケットに埋め込まれているＴＳＰ_ｃｏｕｎｔｅｒ値を監視して、ＴＳＰ_ｃｏｕｎｔｅｒ値が連続でないＴＳパケットを置き換えるべきＴＳパケットとして判別し、ＴＳパケットを置き換えるための制御信号を生成するＴＳＰ_ｃｏｕｎｔｅｒ監視器と、
少なくとも２ ＯＦＤＭフレーム分のデータを蓄積するフレームメモリとを備え、
前記フレームメモリは、前記ＴＳＰ_ｃｏｕｎｔｅｒ監視器から前記制御信号を受信し、置き換えるべきＴＳパケットを含むＯＦＤＭフレームに対して、偶数フレーム分を蓄積しているデータによって置き換えたＯＦＤＭフレームの信号を出力することを特徴とするメモリ装置。
【請求項３】
放送ＴＳ信号として伝送される複数の系統のＯＦＤＭフレームのＴＳパケットから１つのＴＳパケットを選択して切替える放送ＴＳ切替システムであって、
前記複数の系統の中で、伝送されるＯＦＤＭフレームのＴＳパケットに埋め込まれているＴＳＰ_ｃｏｕｎｔｅｒ値を監視して、ＴＳＰ_ｃｏｕｎｔｅｒ値が連続でないＴＳパケットを置き換えるべきＴＳパケットとして判別し、ＴＳパケットを置き換えるための制御信号を生成するＴＳＰ_ｃｏｕｎｔｅｒ監視器と、
少なくとも２ ＯＦＤＭフレーム分のデータを蓄積し、前記ＴＳＰ_ｃｏｕｎｔｅｒ監視器から前記制御信号を受信し、置き換えるべきＴＳパケットを含むＯＦＤＭフレームに対して、偶数フレーム分を蓄積しているデータによって置き換えたＯＦＤＭフレームの信号を出力するフレームメモリと、
前記複数の系統の中で、ＴＳＰ_ｃｏｕｎｔｅｒ監視器により監視されないＯＦＤＭフレームの信号、及び、前記フレームメモリから出力されるＯＦＤＭフレームの信号を入力するＴＳパケットメモリと、
前記ＴＳパケットメモリの出力を入力するとともに、選択した放送ＴＳ信号についての出力選択情報を生成するＴＳ切替器と、
前記ＴＳＰ_ｃｏｕｎｔｅｒ監視器により監視されないＯＦＤＭフレームの信号のＴＳパケットに埋め込まれている各々のＴＳＰ_ｃｏｕｎｔｅｒ値を監視して、ＴＳＰ_ｃｏｕｎｔｅｒ値が連続しているか否かの判別情報を生成するＴＳＰ_ｃｏｕｎｔｅｒ監視回路と、
前記判別情報と前記ＴＳ切替器からの出力選択情報とを入力して、前記出力選択情報の放送ＴＳ信号についての前記判別情報に従って、前記ＴＳ切替器を制御する制御信号を送出するＴＳＰ選択回路とを備えることを特徴とする放送ＴＳ切替システム。
【請求項４】
放送ＴＳ信号として伝送される複数の系統のＯＦＤＭフレームのＴＳパケットから１つのＴＳパケットを選択して切替える放送ＴＳ切替システムであって、
複数の伝送路を経た同一内容の複数の放送ＴＳ信号を入力する第１のＴＳパケットメモリと、
前記ＴＳパケットメモリの出力を入力するとともに、選択した放送ＴＳ信号についての出力選択情報を生成する第１のＴＳ切替器と、
前記複数の放送ＴＳ信号について、ＯＦＤＭフレームのＴＳパケットに埋め込まれている各々のＴＳＰ_ｃｏｕｎｔｅｒ値を監視して、ＴＳＰ_ｃｏｕｎｔｅｒ値が連続しているか否かの判別情報を生成する第１のＴＳＰ_ｃｏｕｎｔｅｒ監視回路と、
前記判別情報と前記ＴＳ切替器からの出力選択情報とを入力して、前記出力選択情報の放送ＴＳ信号についての前記判別情報に従って、前記第１のＴＳ切替器を制御する制御信号を送出する第１のＴＳＰ選択回路と、
前記第１のＴＳ切替器から出力されるＯＦＤＭフレームのＴＳパケットに埋め込まれているＴＳＰ_ｃｏｕｎｔｅｒ値を監視して、ＴＳＰ_ｃｏｕｎｔｅｒ値が連続でないＴＳパケットを置き換えるべきＴＳパケットとして判別し、ＴＳパケットを置き換えるための制御信号を生成するＴＳＰ_ｃｏｕｎｔｅｒ監視器と、
前記第１のＴＳ切替器から出力される少なくとも２ ＯＦＤＭフレーム分のデータを蓄積するとともに、前記ＴＳＰ_ｃｏｕｎｔｅｒ監視器から前記制御信号を受信し、置き換えるべきＴＳパケットを含むＯＦＤＭフレームに対して、偶数フレーム分を遅延させたＯＦＤＭフレームの信号を出力するフレームメモリと、
前記第１のＴＳ切替器から出力されるＯＦＤＭフレームの信号、及び、前記フレームメモリから出力されるＯＦＤＭフレームの信号を入力する第２のＴＳパケットメモリと、
前記第２のＴＳパケットメモリの出力を入力するとともに、選択した放送ＴＳ信号についての出力選択情報を生成する第２のＴＳ切替器と、
前記第１のＴＳ切替器から出力されるＯＦＤＭフレームの信号のＴＳパケットに埋め込まれているＴＳＰ_ｃｏｕｎｔｅｒ値を監視して、ＴＳＰ_ｃｏｕｎｔｅｒ値が連続しているか否かの判別情報を生成する第２のＴＳＰ_ｃｏｕｎｔｅｒ監視回路と、
前記第２のＴＳＰ_ｃｏｕｎｔｅｒ監視回路からの判別情報と前記第２のＴＳ切替器からの出力選択情報とを入力して、前記出力選択情報の放送ＴＳ信号についての前記判別情報に従って、前記第２のＴＳ切替器を制御する第２のＴＳＰ選択回路とを備えることを特徴とする放送ＴＳ切替システム。
【発明の詳細な説明】
【技術分野】
【０００１】
本発明は、ＴＳ（Transport Stream）切替技術に関し、特に地上デジタル放送用の放送ＴＳ切替装置、メモリ装置及び放送ＴＳ切替システムに関する。
【背景技術】
【０００２】
現在、地上デジタル放送のネットワークにおいて、より伝送効率を改善させる技術が研究されている。図９（Ａ）に、地上デジタル放送のネットワークの全体構成を表すブロック図を示す。図９（Ａ）に示すように、地上デジタル放送のネットワークでは、放送ＴＳ信号を伝送する各種機器（ＴＳ伝送装置１７５）により、各放送所のＯＦＤＭ変調器１３０まで放送ＴＳ信号の伝送を行って、ＯＦＤＭ変調器１３０によりＯＦＤＭ変調を施し、その変調信号を一般受信機２００に伝送する。一般受信機２００にて、変調信号を復調及び復号する。ここで、図９（Ｂ）に示すように、放送ＴＳ信号の伝送路中で機器障害、回線異常などで一旦ＴＳ異常が発生すると、ＴＳ異常の発生時間は短時間でも、その後のＯＦＤＭ変調器１３０、一般受信機２００の回復に時間を要するため、一般受信機２００での映像・音声断時間が長くなることが知られている。
【０００３】
従来、ＴＳ伝送装置１７５は、地上デジタル放送用のＴＳ信号を切り替えるＴＳ切替器を伴い、信号のタイミングが完全に一致している２つのＴＳ信号をＴＳ切替器に入力し、一方のＴＳ信号から他方のＴＳ信号への切り替えを行っていた（例えば、非特許文献１を参照）。図１０（Ａ）に、従来の地上デジタル放送用ＴＳ切替器をＳＴＬ／ＴＴＬ（Studio to Transmitter Link／Transmitter to Transmitter Link）において使用する場合の概略図を示す。この例は、ＴＳ切替器１５１（地上デジタル放送用）が、第１のＴＳ伝送装置１５５−１及び第２のＴＳ伝送装置１５５−２の各々の出力信号を切り替えるものである。
【０００４】
第１のＴＳ伝送装置１５５−１及び第２のＴＳ伝送装置１５５−２の各々は、同一のアンテナを介して２分配されたマイクロ波をそれぞれ受信し、放送ＴＳ信号を生成する。ＴＳ切替器１５１は、第１のＴＳ伝送装置１５５−１及び第２のＴＳ伝送装置１５５−２の各々から放送ＴＳ信号をそれぞれ入力し、これらの信号のうちのいずれかの信号を選択して切り替える。尚、図１０（Ｂ）に、データ（ＤＡＴＡ）１８８ｂｙｔｅ、ＩＳＤＢ−ＴのＮＵＬＬ１６ｂｙｔｅ（８ｂｙｔｅをリードソロモン（ＲＳ）符号のパリティとできる）からなる放送ＴＳ信号のＯＦＤＭフレームのＴＳパケット（ＴＳＰ）例を示す。
【０００５】
通常、第１のＴＳ伝送装置１５５−１及び第２のＴＳ伝送装置１５５−２の各々は、ＳＴＬ装置、ＴＴＬ装置又は光回線伝送装置などが用いられる。そこで、第１のＴＳ伝送装置１５５−１及び第２のＴＳ伝送装置１５５−２の各々は、伝送路中に例えばＲＳ符号を用いて誤り訂正する際に、訂正不可能な誤り、即ちＴＳ異常を検出すると、ＮＵＬＬ−ＴＳに置き換えて出力するようになっている。ＴＳ切替器１５１は、ＮＵＬＬ−ＴＳに対してＲＳチェックによる誤り検出を行うことができないため、第１のＴＳ伝送装置１５５−１及び第２のＴＳ伝送装置１５５−２の各々は、それぞれ第１の監視信号及び第２の監視信号をＴＳ切替器１５１に送出し、ＴＳ切替器１５１による系切替を可能とさせている。
【０００６】
【非特許文献１】高橋秋廣他、「地上デジタル放送用送信設備  共通仕様書」、全国デジタル送信設備検討会、２００２年５月１０日発行、ｐ．１１２（改訂２００７年３月１６日発行、ｐ．１７３）
【発明の開示】
【発明が解決しようとする課題】
【０００７】
しかしながら、図１０（Ａ）に示す構成では、第１のＴＳ伝送装置１５５−１及び第２のＴＳ伝送装置１５５−２は、ＯＦＤＭ変調装置１３０（図９）の近くにあるＴＳ切替装置１５１とは離れて設置せざるを得ない。このため、ＴＳ伝送装置でＴＳ信号を生成してから、ＴＳ切替装置までは、一般に信号線でパケット信号を伝送する必要があり、この際に並列に監視信号を伝送することは、パケット信号との同期や他からの通信妨害を考慮すると、現実的ではない。
【０００８】
ここで、パケット信号のみの情報でＴＳ切替可能か否かを検討してみた。図１１（Ａ）に示すように、複数の伝送路（例えば、第１の伝送路１６５−１及び第１の伝送路１６５−２）を経て伝送されるＴＳ信号が通常のＭＰＥＧ−ＴＳ信号であれば、ＴＳ切替器１６１でＲＳチェックして、同一の内容のＭＰＥＧ−ＴＳ信号をＴＳ切り替えすることが可能である。即ち、図１１（Ｂ）に示すように、各々の伝送路（例えば、第１の伝送路１６５−１及び第２の伝送路１６５−２）を経て伝送される通常のＭＰＥＧ−ＴＳ信号の場合のＴＳＰは、データ（ＤＡＴＡ）１８８ｂｙｔｅ、ＲＳ符号のパリティ１６ｂｙｔｅからなる。例えば、図１２を参照して、各伝送路からの同一の内容のＭＰＥＧ−ＴＳ信号が、一連のＴＳパケットとしてＴＳ切替器１６１に順次伝送される場合を想定し、一連のＴＳＰをＴＳＰ1、ＴＳＰ2、ＴＳＰ3、ＴＳＰ４、ＴＳＰ5、・・・、ＴＳＰn（ｎは０を除く任意の自然数）として表すことにする。第１の伝送路１６５−１の伝送信号（図示（Ａ））のＴＳＰ２は訂正不可能なＴＳＰ、並びに、第２の伝送路１６５−２の伝送信号（図示（Ｂ））のＴＳＰ４は訂正不可能なＴＳＰとすると、ＴＳ切替器１６１は、ＲＳチェックして検出することにより、第１の伝送路１６５−１及び第２の伝送路１６５−２の伝送信号のうち、訂正可能又はＴＳ異常の無いＴＳＰを選択して切り換えることが可能となる（図示（Ｃ））。
【０００９】
しかし、地上デジタル放送ネットワークで使用しているＳＴＬ／ＴＴＬの場合には、ＴＳ伝送装置で使用している６４ＱＡＭ復調器は、伝送路中で生じた誤り訂正不可能なＴＳＰを検出すると、そのＴＳＰをＮＵＬＬ−ＴＳに置き換えてしまう仕様となっている。そのため、ＴＳ切替器１５１（図１０（Ａ））でＲＳチェック機能を設けても、ＴＳ異常があったことを確認することが出来ない。
【００１０】
本発明の目的は、放送ＴＳ信号の異常が発生した場合でも、ＴＳパケット信号だけの伝送で後段のＯＦＤＭ変調器及び一般受信機への影響を低減させ、もしくは影響の無い状態にして、放送の安定確保を実現するための放送ＴＳ切替装置、メモリ装置及び放送ＴＳ切替システムを提供することにある。
【課題を解決するための手段】
【００１１】
本発明による放送ＴＳ切替装置、メモリ装置及び放送ＴＳ切替システムは、ＩＳＤＢ−Ｔ_ｉｎｆｏｒｍａｔｉｏｎとして正常な放送ＴＳ信号に埋め込まれている、ＯＦＤＭフレームの先頭ＴＳパケット（ＴＳＰ）から最終ＴＳＰまで順番にインクリメントされるＴＳＰ_ｃｏｕｎｔｅｒ値を利用する。即ち、ＯＦＤＭフレームを伝送するＴＳ伝送装置は、誤り訂正不可能なＴＳＰを検出した場合にはＮＵＬＬ−ＴＳに置き換えて出力するが、このＮＵＬＬ−ＴＳにはＴＳＰ_ｃｏｕｎｔｅｒ値が埋め込まれていない。従って、例えば本発明による放送ＴＳ切替装置は、順番にインクリメントされるはずのＴＳＰ_ｃｏｕｎｔｅｒ値が順番にインクリメントされているかを判別し、その判別信号を生成及び使用することにより、そのＴＳＰが、ＮＵＬＬ−ＴＳであり、又は、誤り訂正不可能なＴＳＰであることを識別できる。尚、上述の本発明の原理に基づく装置又は方法であれば、ＲＳチェックの誤り訂正不可能なＴＳＰに限らず、放送ＴＳ信号の一部のＴＳＰが、ＴＳＰ_ｃｏｕｎｔｅｒ値の埋め込まれていないＮＵＬＬ−ＴＳに置き換えられる如何なる態様においても適用可能である。尚、ＩＳＤＢ−Ｔ ｉｎｆｏｒｍａｔｉｏｎは、ＩＳＤＢ−Ｔ標準に基づくものである（参考文献：ＡＲＩＢ  ＳＴＤ−Ｂ３１）。
【００１２】
即ち、本発明による放送ＴＳ切替装置は、放送ＴＳ信号として伝送されるＯＦＤＭフレームのＴＳパケットを切替える放送ＴＳ切替装置であって、複数の伝送路を経た同一内容の複数の放送ＴＳ信号を入力するＴＳパケットメモリと、前記ＴＳパケットメモリの出力を入力するとともに、選択した放送ＴＳ信号についての出力選択情報を生成するＴＳ切替器と、前記複数の放送ＴＳ信号について、ＯＦＤＭフレームのＴＳパケットに埋め込まれている各々のＴＳＰ_ｃｏｕｎｔｅｒ値を監視して、ＴＳＰ_ｃｏｕｎｔｅｒ値が連続しているか否かを判別し、その判別情報を生成するＴＳＰ_ｃｏｕｎｔｅｒ監視回路と、前記ＴＳＰ_ｃｏｕｎｔｅｒ監視回路からの判別情報と前記ＴＳ切替器からの出力選択情報とを入力して、前記出力選択情報の放送ＴＳ信号についての前記判別情報に従って、前記ＴＳ切替器を制御する制御信号を送出するＴＳＰ選択回路とを備えることを特徴とする。
【００１３】
また、本発明によるメモリ装置は、放送ＴＳ信号として伝送されるＯＦＤＭフレームを遅延させるメモリ装置であって、前記ＯＦＤＭフレームのＴＳパケットに埋め込まれているＴＳＰ_ｃｏｕｎｔｅｒ値を監視して、ＴＳＰ_ｃｏｕｎｔｅｒ値が連続でないＴＳパケットを置き換えるべきＴＳパケットとして判別し、ＴＳパケットを置き換えるための制御信号を生成するＴＳＰ_ｃｏｕｎｔｅｒ監視器と、少なくとも２ ＯＦＤＭフレーム分のデータを蓄積するフレームメモリとを備え、前記フレームメモリは、前記ＴＳＰ_ｃｏｕｎｔｅｒ監視器から前記制御信号を受信し、置き換えるべきＴＳパケットを含むＯＦＤＭフレームに対して、偶数フレーム分を蓄積しているデータによって置き換えたＯＦＤＭフレームの信号を出力することを特徴とする。
【００１４】
尚、上述の本発明によるメモリ装置は、ＴＳＰ_ｃｏｕｎｔｅｒ値を利用することに加え、後述するように、放送ＴＳ信号にはＯＦＤＭフレームの奇数・偶数の情報が載っていること、且つ、ＯＦＤＭフレーム中に含まれるＴＳＰの数はＯＦＤＭの伝送モード（ＭＯＤＥ／ＧＩとして知られている）が変わらない限り変化しないことを利用するものである。従って、フレームメモリは、少なくとも２ ＯＦＤＭフレーム分のデータを蓄積する。連続して置き換えるべきＴＳパケットが検出された場合には、正常だった最近の２ ＯＦＤＭフレームデータを繰り返し出力することができる。この場合には、フレームメモリに対して偶数フレーム分を遅延させたＯＦＤＭフレームを出力させるために、ＴＳＰ_ｃｏｕｎｔｅｒ監視器は、２ ＯＦＤＭフレーム以上のＴＳＰのうち、置き換えるべきＴＳＰを複数判別し、遅延させるべき偶数フレーム分を識別する。
【００１５】
また、本発明による放送ＴＳ切替システムは、放送ＴＳ信号として伝送される複数の系統のＯＦＤＭフレームのＴＳパケットから１つのＴＳパケットを選択して切替える放送ＴＳ切替システムであって、前記複数の系統の中で、伝送されるＯＦＤＭフレームのＴＳパケットに埋め込まれているＴＳＰ_ｃｏｕｎｔｅｒ値を監視して、ＴＳＰ_ｃｏｕｎｔｅｒ値が連続でないＴＳパケットを置き換えるべきＴＳパケットとして判別し、ＴＳパケットを置き換えるための制御信号を生成するＴＳＰ_ｃｏｕｎｔｅｒ監視器と、少なくとも２ ＯＦＤＭフレーム分のデータを蓄積し、前記ＴＳＰ_ｃｏｕｎｔｅｒ監視器から前記制御信号を受信し、置き換えるべきＴＳパケットを含むＯＦＤＭフレームに対して、偶数フレーム分を蓄積しているデータによって置き換えたＯＦＤＭフレームの信号を出力するフレームメモリと、前記複数の系統の中で、ＴＳＰ_ｃｏｕｎｔｅｒ監視器により監視されないＯＦＤＭフレームの信号、及び、前記フレームメモリから出力されるＯＦＤＭフレームの信号を入力するＴＳパケットメモリと、前記ＴＳパケットメモリの出力を入力するとともに、選択した放送ＴＳ信号についての出力選択情報を生成するＴＳ切替器と、前記ＴＳＰ_ｃｏｕｎｔｅｒ監視器により監視されないＯＦＤＭフレームの信号のＴＳパケットに埋め込まれている各々のＴＳＰ_ｃｏｕｎｔｅｒ値を監視して、ＴＳＰ_ｃｏｕｎｔｅｒ値が連続しているか否かの判別情報を生成するＴＳＰ_ｃｏｕｎｔｅｒ監視回路と、前記判別情報と前記ＴＳ切替器からの出力選択情報とを入力して、前記出力選択情報の放送ＴＳ信号についての前記判別情報に従って、前記ＴＳ切替器を制御する制御信号を送出するＴＳＰ選択回路とを備えることを特徴とする。
【００１６】
また、本発明による更に別の放送ＴＳ切替システムは、放送ＴＳ信号として伝送される複数の系統のＯＦＤＭフレームのＴＳパケットから１つのＴＳパケットを選択して切替える放送ＴＳ切替システムであって、複数の伝送路を経た同一内容の複数の放送ＴＳ信号を入力する第１のＴＳパケットメモリと、前記ＴＳパケットメモリの出力を入力するとともに、選択した放送ＴＳ信号についての出力選択情報を生成する第１のＴＳ切替器と、前記複数の放送ＴＳ信号について、ＯＦＤＭフレームのＴＳパケットに埋め込まれている各々のＴＳＰ_ｃｏｕｎｔｅｒ値を監視して、ＴＳＰ_ｃｏｕｎｔｅｒ値が連続しているか否かの判別情報を生成する第１のＴＳＰ_ｃｏｕｎｔｅｒ監視回路と、前記判別情報と前記ＴＳ切替器からの出力選択情報とを入力して、前記出力選択情報の放送ＴＳ信号についての前記判別情報に従って、前記第１のＴＳ切替器を制御する制御信号を送出する第１のＴＳＰ選択回路と、前記第１のＴＳ切替器から出力されるＯＦＤＭフレームのＴＳパケットに埋め込まれているＴＳＰ_ｃｏｕｎｔｅｒ値を監視して、ＴＳＰ_ｃｏｕｎｔｅｒ値が連続でないＴＳパケットを置き換えるべきＴＳパケットとして判別し、ＴＳパケットを置き換えるための制御信号を生成するＴＳＰ_ｃｏｕｎｔｅｒ監視器と、前記第１のＴＳ切替器から出力される少なくとも２ ＯＦＤＭフレーム分のデータを蓄積するとともに、前記ＴＳＰ_ｃｏｕｎｔｅｒ監視器から前記制御信号を受信し、置き換えるべきＴＳパケットを含むＯＦＤＭフレームに対して、偶数フレーム分を遅延させたＯＦＤＭフレームの信号を出力するフレームメモリと、前記第１のＴＳ切替器から出力されるＯＦＤＭフレームの信号、及び、前記フレームメモリから出力されるＯＦＤＭフレームの信号を入力する第２のＴＳパケットメモリと、前記第２のＴＳパケットメモリの出力を入力するとともに、選択した放送ＴＳ信号についての出力選択情報を生成する第２のＴＳ切替器と、前記第１のＴＳ切替器から出力されるＯＦＤＭフレームの信号のＴＳパケットに埋め込まれているＴＳＰ_ｃｏｕｎｔｅｒ値を監視して、ＴＳＰ_ｃｏｕｎｔｅｒ値が連続しているか否かの判別情報を生成する第２のＴＳＰ_ｃｏｕｎｔｅｒ監視回路と、前記第２のＴＳＰ_ｃｏｕｎｔｅｒ監視回路からの判別情報と前記第２のＴＳ切替器からの出力選択情報とを入力して、前記出力選択情報の放送ＴＳ信号についての前記判別情報に従って、前記第２のＴＳ切替器を制御する第２のＴＳＰ選択回路とを備えることを特徴とする。
【発明の効果】
【００１７】
以上のように、本発明によれば、ＯＦＤＭ変調器へＮＵＬＬ−ＴＳを出力することを低減又は無くすことができ、ＯＦＤＭ変調器での復旧時間を著しく改善させることができる。また、ＳＴＬ以外の複数の伝送路を経た放送ＴＳ信号に切り替える場合にも適用でき、異ルート伝送のＴＳ信号を扱うことができるようになる。
【発明を実施するための最良の形態】
【００１８】
まず、本発明による実施例１の放送ＴＳ切替装置について図面を用いて詳細に説明する。尚、各図において、同様な構成要素には、同一の参照番号を付して説明する。
【００１９】
（実施例１）
図１は、ＯＦＤＭフレームの先頭ＴＳＰから最終ＴＳＰまで順番にインクリメントされるＴＳＰ_ｃｏｕｎｔｅｒ値についての概略図である。一連のＴＳＰをＴＳＰ1、ＴＳＰ2、ＴＳＰ3、・・・、ＴＳＰn（ｎは０を除く任意の自然数であり、ＴＳＰ_ｃｏｕｎｔｅｒの値を意味する）として表し、先頭ＴＳＰ1〜最終ＴＳＰnで、１ ＯＦＤＭフレームを構成するものとする（詳細は、ＡＲＩＢ  ＳＴＤ−Ｂ３１による）。即ち、ＴＳ信号は、連続するＯＦＤＭフレームから構成される。図１において、ＯＦＤＭフレームを伝送するＴＳ伝送装置は、誤り訂正不可能なＴＳＰを検出した場合にはＮＵＬＬ−ＴＳに置き換えて出力するが、このＮＵＬＬ−ＴＳにはＴＳＰ_ｃｏｕｎｔｅｒ値が埋め込まれていない（図示するＴＳＰ？）。
【００２０】
図２に、本発明による実施例１の放送ＴＳ切替装置の概略図を示す。放送ＴＳ切替装置１は、ＴＳ切替器２、ＴＳＰ_ｃｏｕｎｔｅｒ監視回路３、ＴＳＰ選択回路４及びＴＳパケットメモリ６を備える。
【００２１】
ＴＳ切替器２は、同一内容の複数の放送ＴＳ信号を複数の伝送路（第１の伝送路５−１、第２の伝送路５−２、・・・、第Ｎの伝送路５−Ｎ）を経て入力する。尚、Ｎは、０を除く自然数である。更に、ＴＳ切替器２は、選択した放送ＴＳ信号についての出力選択情報を生成する。尚、出力選択情報は、例えばＯＦＤＭ信号の信号強度に基づいて選択される場合や、経路故障（又は経路故障予測）に基づいて選択される場合など、予め定めた任意のロジックに従ってＴＳＰ選択した際の情報である。
【００２２】
ＴＳＰ_ｃｏｕｎｔｅｒ監視回路３は、複数の放送ＴＳ信号について、ＯＦＤＭフレームのＴＳパケットに埋め込まれている各々のＴＳＰ_ｃｏｕｎｔｅｒ値を監視して、ＴＳＰ_ｃｏｕｎｔｅｒ値が連続か否かを判別し、その判別した情報をＴＳＰ選択回路４に送出する。
【００２３】
ＴＳＰ選択回路４は、伝送路のＴＳＰ_ｃｏｕｎｔｅｒ値が連続か否かを示すＴＳＰ_ｃｏｕｎｔｅｒ監視回路３からの判別情報、及び、ＴＳ切替器２からの出力選択情報を入力し、出力選択情報に従って選択される伝送路がＴＳＰ_ｃｏｕｎｔｅｒ値の連続でない旨を示す判別情報の場合には、新たに置き換えるべきＴＳパケットに対応するＴＳパケットを選択するように、ＴＳ切替器２を制御する。ＴＳＰ選択回路４は、ＴＳＰ_ｃｏｕｎｔｅｒ値の連続である旨を示す判別情報の場合には、出力選択情報に従ってＴＳパケットを選択するように、ＴＳ切替器２を制御する。即ち、いずれのＯＦＤＭフレームのＴＳＰを選択し、置換すべきかは、出力選択のための予めロジックを定めておけばよいが、更に判別情報を考慮したＴＳＰ_ｃｏｕｎｔｅｒ監視回路３からの制御信号により為される。尚、ＴＳパケットメモリ６は、ＴＳＰ_ｃｏｕｎｔｅｒ値について監視した結果を出力に反映させるための、少なくとも１ＴＳパケット長を遅延させるためのものである。
【００２４】
これにより、放送ＴＳ切替装置１は、ＴＳ異常の無い、又は、ＴＳ異常の数を低減させたＯＦＤＭフレームの信号を送出することができる。
【００２５】
図３に、本発明による実施例１の放送ＴＳ切替装置の動作説明図を示す。第１の伝送路５−１からのＴＳ信号は、斜線で示すＴＳＰ2が、ＮＵＬＬ−ＴＳ（図示（Ａ））であり、第１の伝送路５−２からのＴＳ信号は、斜線で示すＴＳＰ４及びＴＳＰ５がＮＵＬＬ−ＴＳ（図示（Ｂ））であり、第Ｎの伝送路５−ＮからのＴＳ信号は、斜線で示すＴＳＰ３がＮＵＬＬ−ＴＳ（図示（Ｃ））であるとする。本実施例の放送ＴＳ切替装置１は、ＴＳ異常の無い、又は、ＴＳ異常の数を低減させたＯＦＤＭフレームの信号を送出することができる（図示（Ｄ））。
【００２６】
図４に、本発明による実施例１の放送ＴＳ切替装置を、ＳＴＬにおいて適用する場合の概略図を示す。放送ＴＳ切替装置１は、図２に示す放送ＴＳ切替装置１と同様の構成要素からなる。また、放送ＴＳ切替装置１の後段には、ＯＦＤＭ変調器１３０が設けられている。
【００２７】
ＳＴＬ受信装置（１号）１２０−１及びＳＴＬ受信装置（２号）１２０−２の各々は、同一のアンテナ１１０を介して２分配されたマイクロ波をそれぞれ受信し、放送ＴＳ信号を生成する。
【００２８】
ＴＳ切替器２は、ＳＴＬ受信装置１２０−１及びＳＴＬ受信装置１２０−２の各々から放送ＴＳ信号をそれぞれ入力する。更に、ＴＳ切替器２は、選択した放送ＴＳ信号についての出力選択情報を生成する。
【００２９】
ＴＳＰ_ｃｏｕｎｔｅｒ監視回路３は、各々の放送ＴＳ信号のＯＦＤＭフレームのＴＳパケットに埋め込まれているＴＳＰ_ｃｏｕｎｔｅｒ値を監視して、ＴＳＰ_ｃｏｕｎｔｅｒ値が連続でないＴＳパケットを検出するとともに、出力信号として選択されている場合は、置き換えるべきＴＳＰとして判定する。ここで、出力信号として選択されていない場合には、必ずしも置き換えるべきＴＳＰとして判定する必要はない。
【００３０】
ＴＳＰ選択回路４は、ＴＳＰ_ｃｏｕｎｔｅｒ監視回路３によって判別したＴＳパケットを含む放送ＴＳ信号以外の放送ＴＳ信号から、置き換えるべきＴＳパケットに対応するＴＳパケットを選択するように、ＴＳ切替器２を制御する制御信号を送出する。
【００３１】
ＯＦＤＭ変調器１３０は、ＴＳ切替器２により選択して切り替えられた放送ＴＳ信号を入力し、ＯＦＤＭ変調を行う。このＯＦＤＭ変調処理はフレーム単位で行われることから、ＯＦＤＭ変調器１３０は、フレーム毎に、所定の１フレームデータ量を１フレーム期間内に有しているか否かを判断して管理し、所定の１フレームデータ量よりも少ないかもしくは多い場合にはリセットを行い、処理途中のデータを一旦廃棄し、改めてフレームの先頭から変調処理（再引き込み）を行う。
【００３２】
これにより、放送ＴＳ切替装置１は、ＴＳ異常の無い、又は、ＴＳ異常の数を低減させたＯＦＤＭフレームを送出することができる。
【００３３】
図５に、本発明による実施例１の放送ＴＳ切替装置を、他の例のＳＴＬにおいて適用する場合の概略図を示す。放送ＴＳ切替装置１は、ＴＳ切替器２、ＴＳＰ_ｃｏｕｎｔｅｒ監視回路３、ＴＳＰ選択回路４及びＴＳパケットメモリ６を備え、放送ＴＳ切替装置１とＳＴＬ受信装置１４０−１の間には、フレームタイミング制御部１１及び遅延回路１２が設けられている。また、放送ＴＳ切替装置１の後段には、前述と同様のＯＦＤＭ変調器１３０が設けられている（図４参照）。
【００３４】
図５において、ＳＴＬ受信装置１４０−１及びＳＴＬ受信装置１４０−２の各々は、各々のアンテナ１１０−１，１１０−２を介してマイクロ波をそれぞれ受信し、放送ＴＳ信号を生成する。
【００３５】
ＴＳ切替器２は、遅延回路１２を経てＳＴＬ受信装置１４０−１の放送ＴＳ信号、及びＳＴＬ受信装置１４０−２の放送ＴＳ信号をそれぞれ入力する。更に、ＴＳ切替器２は、選択した放送ＴＳ信号についての出力選択情報を生成する。
【００３６】
ＴＳＰ_ｃｏｕｎｔｅｒ監視回路３は、ＴＳ切替器２に入力される各々の放送ＴＳ信号について、ＯＦＤＭフレームのＴＳパケットに埋め込まれているＴＳＰ_ｃｏｕｎｔｅｒ値を監視して、ＴＳＰ_ｃｏｕｎｔｅｒ値が連続でないＴＳパケットを検出するとともに、出力信号として選択されている場合は、置き換えるべきＴＳＰとして判定する。ここで、出力信号として選択されていない場合には、必ずしも置き換えるべきＴＳＰとして判定する必要はない。
【００３７】
ＴＳＰ選択回路４は、ＴＳＰ_ｃｏｕｎｔｅｒ監視回路３によって判別したＴＳパケットを含む放送ＴＳ信号以外の放送ＴＳ信号から、置き換えるべきＴＳパケットに対応するＴＳパケットを選択するように、ＴＳ切替器２を制御する制御信号を送出する。尚、前述と同様に、ＴＳパケットメモリ６は、少なくとも１ＴＳパケット長を遅延させるだけでよい。
【００３８】
尚、図５に示すフレームタイミング制御部１１は、ＳＴＬ受信装置１４０−１からの放送ＴＳ信号について、放送ＴＳ信号中の制御信号であるＩＳＤＢ−Ｔ_ｉｎｆｏｒｍａｔｉｏｎに含まれるｆｒａｍｅ＿ｈｅａｄ＿Ｐａｃｋｅｔ＿ｆｌａｇを検出するとともに、双方のＯＦＤＭフレームの同期を補償する補償情報を抽出し、同じくＩＳＤＢ−Ｔ ｉｎｆｏｒｍａｔｉｏｎに含まれるｆｒａｍｅ  ｉｎｄｉｃａｔｏｒを検出するとともに、入力した放送ＴＳ信号のフレームが偶数フレーム（ｗ０）であるかまたは奇数フレーム（ｗ１）であるかを示す識別情報を抽出する。
【００３９】
また、フレームタイミング制御部１１は、抽出した補償情報及び識別情報から、ＳＴＬ受信装置１４０−１及びＳＴＬ受信装置１４０−２の各々の放送ＴＳ信号についての位相差の遅延時間情報を算出し、遅延回路１２に出力する。ここで、ｆｒａｍｅ＿ｈｅａｄ＿ｐａｃｋｅｔ＿ｆｌaｇはフレームの先頭を識別するためのフラグであり、ｆｒａｍｅ＿ｉｎｄｉｃａｔｏｒは偶数フレーム及び奇数フレームを識別するためのフラグであり、ＩＳＤＢ−Ｔ ｉｎｆｏｒｍａｔｉｏｎは、ＩＳＤＢ−Ｔ標準に基づくものである。
【００４０】
遅延回路１２は、フレームタイミング制御部１１により算出された位相差の遅延時間情報を入力し、ＳＴＬ受信装置１４０−１及びＳＴＬ受信装置１４０−２の各々の放送ＴＳ信号のフレームタイミングを調整する。尚、説明の便宜のために、一方のＳＴＬ受信装置の伝送路にのみ、遅延回路を設けるように説明しているが、双方のＳＴＬ受信装置の伝送路に遅延回路を設けてもよく、そのような遅延回路は、フレームメモリで代替させて、同様の機能を実現させることもできる。
【００４１】
上述のような様々な態様で、放送ＴＳ切替装置１は、ＴＳ異常の無い、又は、ＴＳ異常の数を低減させたＯＦＤＭフレームを送出することができる。また、図５に示すフレームタイミング制御部１１及び遅延回路１２を放送ＴＳ切替装置１の内部に設けてもよい。
【００４２】
次に、本発明による実施例のメモリ装置、及び実施例１の放送ＴＳ切替装置を備える放送ＴＳ切替システムを実施例２として説明する。尚、各図において、同様な構成要素には、同一の参照番号を付して説明する。
【００４３】
（実施例２）
図６（Ａ）に、本発明による実施例のメモリ装置の概略図を示す。本実施例のメモリ装置は、ＴＳＰ_ｃｏｕｎｔｅｒ監視器７及びフレームメモリ８を備える。
【００４４】
ＴＳＰ_ｃｏｕｎｔｅｒ監視器７は、放送ＴＳ信号として伝送されるＯＦＤＭフレームのＴＳパケット（ＴＳＰ）に埋め込まれている各々のＴＳＰ_ｃｏｕｎｔｅｒ値を監視して、ＴＳＰ_ｃｏｕｎｔｅｒ値が連続でないＴＳパケットを検出するとともに、置き換えるべきＴＳパケットとして判別し、ＴＳＰを置き換えるための制御信号を生成する。
【００４５】
フレームメモリ８は、少なくとも２ ＯＦＤＭフレーム分のデータを蓄積する。更に、フレームメモリ８は、ＴＳＰ_ｃｏｕｎｔｅｒ監視器７からＴＳＰを置き換えるべき制御信号を受信し、置き換えるべきＴＳＰを含むＯＦＤＭフレームに対して、偶数フレーム分を遅延させたＯＦＤＭフレームの信号を出力する。
【００４６】
図６（Ｂ）に、本発明による実施例のメモリ装置におけるＯＦＤＭフレームについての概略図を示す。同図において、ＴＳ信号の伝送路が単一伝送路で冗長性のない場合を想定している。ＴＳ信号のＯＦＤＭフレームが、＃−１（奇数フレーム（ｗ１））、＃０（偶数フレーム（ｗ０））、＃１（奇数フレーム（ｗ１））、＃２（偶数フレーム（ｗ０））、＃３奇数フレーム（ｗ１））、＃４（偶数フレーム（ｗ０））、・・・、と伝送されている場合に、実施例１と同様に、ＴＳＰ_ｃｏｕｎｔｅｒ監視器７は、放送ＴＳ信号に含まれるＴＳＰ_ｃｏｕｎｔｅｒ値を監視するとともに、放送ＴＳ信号に含まれるｆｒａｍｅ  ｉｎｄｉｃａｔｏｒを検出し、入力した放送ＴＳ信号のフレームが偶数フレーム（ｗ０）であるかまたは奇数フレーム（ｗ１）であるかを示す識別情報を監視する。同図において、フレームメモリ８は、２ ＯＦＤＭフレーム分のデータを蓄積し、ＴＳＰ_ｃｏｕｎｔｅｒ監視器７からの制御信号に応じて、２ ＯＦＤＭフレーム分遅延させた一連のＯＦＤＭフレームを出力する。
【００４７】
ここで、ＯＦＤＭフレーム中に含まれるＴＳＰの数はＯＦＤＭの伝送モード（ＭＯＤＥ／ＧＩとして知られている）が変わらない限り変化しない。尚、連続して置き換えるべきＴＳパケットが検出された場合には、正常だった最近の２ ＯＦＤＭフレームデータを繰り返し出力することができる。従って、フレームメモリ８は、少なくとも２ ＯＦＤＭフレーム分のデータを蓄積する。この場合には、フレームメモリに対して偶数フレーム分を遅延させたＯＦＤＭフレームを出力させるために、ＴＳＰ_ｃｏｕｎｔｅｒ監視器は、２ ＯＦＤＭフレーム以上のＴＳＰのうち、置き換えるべきＴＳＰを複数判別し、遅延させるべき偶数フレーム分を識別可能な制御信号を生成する。
【００４８】
図７に、本発明による実施例のメモリ装置、及び本発明による実施例１の放送ＴＳ切替装置を備える一実施例の放送ＴＳ切替システムの概略図を示す。本実施例の放送ＴＳ切替システムに設けられる放送ＴＳ切替装置１は、実施例１と同様の構成要素からなり、放送ＴＳ切替装置１の前段に、上述のメモリ装置（図６参照）を設けられる。
【００４９】
即ち、本実施例の放送ＴＳ切替システムは、放送ＴＳ信号として伝送されるＯＦＤＭフレームの一部のＴＳパケットを置き換えるために、ＴＳＰ_ｃｏｕｎｔｅｒ監視器７、フレームメモリ８、ＴＳ切替器２、ＴＳＰ_ｃｏｕｎｔｅｒ監視回路３、ＴＳＰ選択回路４及びＴＳパケットメモリ６を備える。
【００５０】
ＴＳＰ_ｃｏｕｎｔｅｒ監視器７は、放送ＴＳ信号として伝送されるＯＦＤＭフレームのＴＳパケットに埋め込まれているＴＳＰ_ｃｏｕｎｔｅｒ値を監視して、ＴＳＰ_ｃｏｕｎｔｅｒ値が連続でないＴＳパケットを置き換えるべきＴＳパケットとして判別し、ＴＳパケットを置き換えるための制御信号を生成する。
【００５１】
フレームメモリ８は、少なくとも２ ＯＦＤＭフレーム分のデータを蓄積し、ＴＳＰ_ｃｏｕｎｔｅｒ監視器７から制御信号を受信し、置き換えるべきＴＳパケットを含むＯＦＤＭフレームに対して、偶数フレーム分を遅延させたＯＦＤＭフレームの信号を出力する。
【００５２】
ＴＳ切替器２は、ＴＳＰ_ｃｏｕｎｔｅｒ監視器７により監視されないＯＦＤＭフレームの信号、及び、フレームメモリ８から出力されるＯＦＤＭフレームの信号を入力する。更に、ＴＳ切替器２は、選択した放送ＴＳ信号についての出力選択情報を生成する。ここで、ＴＳＰ_ｃｏｕｎｔｅｒ監視器７により監視されない場合のＯＦＤＭフレームの信号とは、例えば予め定めた偶数フレーム分の遅延させたＯＦＤＭフレームに、ＮＵＬＬ＿ＴＳが含まれるような場合を云う。
【００５３】
ＴＳＰ_ｃｏｕｎｔｅｒ監視回路３は、ＴＳＰ_ｃｏｕｎｔｅｒ監視器７により監視されるＯＦＤＭフレームの信号のＴＳパケットに埋め込まれている各々のＴＳＰ_ｃｏｕｎｔｅｒ値を監視して、ＴＳＰ_ｃｏｕｎｔｅｒ値が連続か否かの判別情報を生成する。
【００５４】
ＴＳＰ選択回路４は、ＴＳＰ_ｃｏｕｎｔｅｒ監視回路３からの判別情報、及び、ＴＳ切替器２からの出力選択情報を入力して出力の系統から、連続したＴＳＰ_ｃｏｕｎｔｅｒ値でない場合、ＴＳ切替器２を制御する制御信号を送出する。尚、第１のＴＳＰ選択回路４は、ＴＳＰ_ｃｏｕｎｔｅｒ値が連続である旨を示す判別情報の場合は、予め定めたロジックに従ってＴＳ切替器２を制御する制御信号を送出する。尚、ＴＳパケットメモリ６は、実施例１と同様に、少なくとも１ＴＳパケット長を遅延させるだけでよい。
【００５５】
尚、ＴＴＬ受信装置１６０の出力信号と、フレームメモリ８から偶数フレーム分遅延させた信号との間のフレームタイミングとして、偶数フレーム（ｗ０）又は奇数フレーム（ｗ１）でＴＳ切替器２で切替可能なように、フレームメモリ８は、ＴＳＰ_ｃｏｕｎｔｅｒ監視器７で制御される。尚、フレームタイミングがずれるような場合であっても、実施例１で説明したように、フレームタイミング１１及び遅延回路１２を用いて、好適にタイミング調整することもできる。
【００５６】
図７に示す例では、ＴＳ信号の伝送路が単一伝送路で冗長性のない場合、例えばアンテナ１５０からのマイクロ波をＴＴＬ受信装置１６０で受信して放送ＴＳを生成するような場合を想定している。このような場合であっても、放送ＴＳ切替装置１は、ＴＳＰに埋め込まれているＴＳＰ_ｃｏｕｎｔｅｒ値を監視して、ＴＴＬ受信装置１６０の出力信号、及び、フレームメモリ８から偶数フレーム分遅延させた信号を放送ＴＳ切替装置１のＴＳ切替器２に入力することにより、放送ＴＳ切替装置１は、ＴＳ異常の無い、又は、ＴＳ異常の数を低減させたＯＦＤＭフレームをＯＦＤＭ変調器１３０に送出することができるようなる。
【００５７】
次に、本発明による実施例のメモリ装置、及び実施例１の放送ＴＳ切替装置を備える別の放送ＴＳ切替システムを実施例３として説明する。尚、各図において、同様な構成要素には、同一の参照番号を付して説明する。
【００５８】
（実施例３）
図８に、本発明による実施例のメモリ装置、及び本発明による実施例１の放送ＴＳ切替装置を複数備える一実施例の放送ＴＳ切替システムの概略図を示す。本実施例の放送ＴＳ切替システムに設けられる放送ＴＳ切替装置（第１の放送ＴＳ切替装置１−１及び第２の放送ＴＳ切替装置１−２）は、実施例１と同様の構成要素からなり、第１の放送ＴＳ切替装置１−１の後段に、上述のメモリ装置（図６参照）を設けるとともに、メモリ装置の後段に第２の放送ＴＳ切替装置１−２が設けられる。
【００５９】
即ち、本実施例の放送ＴＳ切替システムは、放送ＴＳ信号として伝送される複数のＯＦＤＭフレームのＴＳパケットを切替えるために、第１のＴＳ切替器２−１、第１のＴＳＰ_ｃｏｕｎｔｅｒ監視回路３−１、第１のＴＳＰ選択回路４−１、第１のＴＳパケットメモリ６−１、ＴＳＰ_ｃｏｕｎｔｅｒ監視器７、フレームメモリ８、第２のＴＳ切替器２−２、第２のＴＳＰ_ｃｏｕｎｔｅｒ監視回路３−２、第２のＴＳＰ選択回路４−２及び第２のＴＳパケットメモリ６−２を備える。
【００６０】
第１のＴＳ切替器２−１は、ＳＴＬ受信装置１２０−１及びＳＴＬ受信装置１２０−２の各々から、同一内容の複数の放送ＴＳ信号を複数の伝送路を経て入力する。更に、ＴＳ切替器２は、選択した放送ＴＳ信号についての出力選択情報を生成する。
【００６１】
第１のＴＳＰ_ｃｏｕｎｔｅｒ監視回路３−１は、複数の放送ＴＳ信号について、ＯＦＤＭフレームのＴＳパケットに埋め込まれている各々のＴＳＰ_ｃｏｕｎｔｅｒ値を監視して、ＴＳＰ_ｃｏｕｎｔｅｒ値が連続か否かの判別情報を第１のＴＳＰ選択回路４−１に送出する。
【００６２】
第１のＴＳＰ選択回路４−１は、第１のＴＳＰ_ｃｏｕｎｔｅｒ監視回路３−１からの判別情報、及び、第１のＴＳ切替器２−１からの出力選択情報を入力し、第１のＴＳ切替器２−１の出力となる伝送路のＴＳＰ_ｃｏｕｎｔｅｒ値が連続でない旨を示す判別情報の場合は、置き換えるべきＴＳパケットに対応するＴＳパケットを選択するように、第１のＴＳ切替器２−１を制御する制御信号を送出し、ＴＳＰ_ｃｏｕｎｔｅｒ値が連続である旨を示す判別情報の場合は、予め定めたロジックに従って第１のＴＳ切替器２−１を制御する制御信号を送出する。
【００６３】
ＴＳＰ_ｃｏｕｎｔｅｒ監視器７は、第１のＴＳ切替器２−１から出力されるＯＦＤＭフレームのＴＳパケットに埋め込まれているＴＳＰ_ｃｏｕｎｔｅｒ値を監視して、ＴＳＰ_ｃｏｕｎｔｅｒ値が連続でないＴＳパケットを置き換えるべきＴＳパケットとして判別し、ＴＳパケットを置き換えるための制御信号を生成する。
【００６４】
フレームメモリ８は、第１のＴＳ切替器２−１から出力される少なくとも２ ＯＦＤＭフレーム分のデータを蓄積するとともに、ＴＳＰ_ｃｏｕｎｔｅｒ監視器７から制御信号を受信し、置き換えるべきＴＳパケットを含むＯＦＤＭフレームに対して、偶数フレーム分を遅延させたＯＦＤＭフレームの信号を出力する。
【００６５】
第２のＴＳ切替器２−２は、第１のＴＳ切替器４−１から出力されるＯＦＤＭフレームの信号、及び、フレームメモリ８から出力されるＯＦＤＭフレームの信号を入力する。更に、ＴＳ切替器２は、選択した放送ＴＳ信号についての出力選択情報を生成する。
【００６６】
第２のＴＳＰ_ｃｏｕｎｔｅｒ監視回路３−２は、第１のＴＳ切替器２−１から出力されるＯＦＤＭフレームの信号のＴＳパケットに埋め込まれているＴＳＰ_ｃｏｕｎｔｅｒ値を監視して、ＴＳＰ_ｃｏｕｎｔｅｒ値が連続か否かの判別情報を第２のＴＳＰ選択回路４−２へ送出する。
【００６７】
第２のＴＳＰ選択回路４−２は、第２のＴＳＰ_ｃｏｕｎｔｅｒ監視回路３−２からの判別情報、及び、第２のＴＳ切替器２−２からの出力選択情報を入力し、第２のＴＳ切替器２−２の出力となる伝送路のＴＳＰ_ｃｏｕｎｔｅｒ値が連続でない旨を示す判別情報の場合は、置き換えるべきＴＳパケットに対応するＴＳパケットを選択するように、第２のＴＳ切替器２−２を制御する制御信号を送出し、ＴＳＰ_ｃｏｕｎｔｅｒ値が連続である旨を示す判別情報の場合は、予め定めたロジックに従って第２のＴＳ切替器２−２を制御する制御信号を送出する。
【００６８】
尚、第１の放送ＴＳ切替装置１−１の出力信号とフレームメモリ８から偶数フレーム分遅延させた信号との間のフレームタイミングとして、偶数フレーム（ｗ０）又は奇数フレーム（ｗ１）で第２の放送ＴＳ切替装置１−２のＴＳ切替器２−２で切り替え可能なように、フレームメモリ８は、ＴＳＰ_ｃｏｕｎｔｅｒ監視器７で制御される。尚、フレームタイミングがずれるような場合であっても、実施例１で説明したように、フレームタイミング１１及び遅延回路１２を用いて、好適にタイミング調整することもできる。  
【００６９】
図８に示す放送ＴＳ切替システムにおいて、例えば、ＳＴＬ受信装置１２０−１，１２０−２の双方の放送ＴＳ信号について、第１の放送ＴＳ切替装置１−１にて同一のカウント順のＴＳＰに対し、誤り訂正不可能なＴＳＰとしてＴＳＰ_ｃｏｕｎｔｅｒ値を監視して検出した場合であっても、第２の放送ＴＳ切替装置１−２の出力では、ＴＳ異常の無い、又は、ＴＳ異常の数を低減させたＯＦＤＭフレームをＯＦＤＭ変調器１３０に送出することを可能とする。これにより、ＴＳ異常の無い、又は、ＴＳ異常の数を低減させたＯＦＤＭフレームを送出することができる。ＯＦＤＭ変調器では見かけ上、ＴＳＰ_ｃｏｕｎｔｅｒ値の連続したＴＳＰを受信できるため、ＯＦＤＭ変調器の復旧時間が不要となる。
【００７０】
上述の実施例については代表的な例として説明したが、本発明の趣旨及び範囲内で、多くの変形及び置換することができることは当業者に明らかである。例えば、複数の伝送路から取得したＴＳ信号をＴＳ切替する実施例１の放送ＴＳ切替装置を複数並列させて、その複数並列させた実施例１の放送ＴＳ切替装置の出力信号に対し、実施例１の放送ＴＳ切替装置又は単にＴＳ切替器を設けることもできる。必要に応じて、フレームメモリから出力されるＴＳ異常のＴＳＰに対しても置き換えるように構成させてもよい。従って、本発明は、上述の実施例によって制限するものと解するべきではなく、特許請求の範囲によってのみ制限される。
【産業上の利用可能性】
【００７１】
本発明による放送ＴＳ切替装置は、地上デジタル放送用のＴＳ信号を切り替えるＴＳ切替器において有用である。
【図面の簡単な説明】
【００７２】
【図１】ＯＦＤＭフレームの先頭ＴＳパケット（ＴＳＰ）から最終ＴＳＰまで順番にインクリメントされるＴＳＰ_ｃｏｕｎｔｅｒ値についての概略図である。
【図２】本発明による一実施例の放送ＴＳ切替装置の概略図である。
【図３】本発明による一実施例の放送ＴＳ切替装置の動作説明図である。
【図４】本発明による一実施例の放送ＴＳ切替装置を、ＳＴＬにおいて適用する場合の概略図である。
【図５】本発明による一実施例の放送ＴＳ切替装置を、他の例のＳＴＬにおいて適用する場合の概略図である。
【図６】（Ａ）本発明による実施例のメモリ装置の概略図、及び、（Ｂ）本発明による実施例のメモリ装置におけるＯＦＤＭフレームについての概略図である。
【図７】本発明による一実施例の放送ＴＳ切替システムの概略図である。
【図８】本発明による一実施例の放送ＴＳ切替システムの概略図である。
【図９】（Ａ）地上デジタル放送のネットワークの全体構成を表すブロック図、及び、（Ｂ）放送ＴＳ信号の伝送路中で生じたＴＳ異常の影響を説明する図である。
【図１０】（Ａ）従来の地上デジタル放送用ＴＳ切替器をＳＴＬ／ＴＴＬにおいて使用する場合の概略図、及び、（Ｂ）伝送される放送ＴＳ信号のＴＳＰの説明図である。
【図１１】（Ａ）ＭＰＥＧ−ＴＳ信号をＴＳ切り替えする場合の概略図、及び、（Ｂ）伝送されるＭＰＥＧ−ＴＳ信号のＴＳＰの説明図である。
【図１２】ＭＰＥＧ−ＴＳ信号をＴＳ切り替えする場合の動作説明図である。
【符号の説明】
【００７３】
１，１−１，１−２  放送ＴＳ切替装置
２，２−１，２−２  ＴＳ切替器
３，３−１，３−２  ＴＳＰ_ｃｏｕｎｔｅｒ監視回路
４，４−１，４−２  ＴＳＰ選択回路
５−１，５−１，５−Ｎ  伝送路
６，６−１，６−２  ＴＳパケットメモリ
７  ＴＳＰ_ｃｏｕｎｔｅｒ監視器
８  フレームメモリ
１１  フレームタイミング制御部
１２  遅延回路
１１０，１１０−１，１１０−２  アンテナ
１２０−１，１２０−２  ＳＴＬ受信装置
１３０  ＯＦＤＭ変調器
１４０−１，１４０−２  ＳＴＬ受信装置
１５０  アンテナ
１５１  ＴＳ切替器
１５５−１，１５５−２  ＴＳ伝送装置
１６０  ＴＴＬ受信装置
１６１  ＴＳ切替器
１６５−１，１６５−２  伝送路
１７５  ＴＳ伝送装置
２００  一般受信機
【図１】
2008283476.tif 000003
【図２】
2008283476.tif 000004
【図３】
2008283476.tif 000005
【図４】
2008283476.tif 000006
【図５】
2008283476.tif 000007
【図６】
2008283476.tif 000008
【図７】
2008283476.tif 000009
【図８】
2008283476.tif 000010
【図９】
2008283476.tif 000011
【図１０】
2008283476.tif 000012
【図１１】
2008283476.tif 000013
【図１２】
2008283476.tif 000014